(57)【要約】【課題】  発光特性が異なる光を２箇所に発することにより、種々の情報を表示する自由度を向上させることのできる携帯端末を提供する。【解決手段】  本体１１に収容された光源２１から発せられた光は個別に、導光手段である第１導光部材４０Ａを通じて第１発光部３０Ａに出射して第１発光部３０Ａを発光させるとともに、導光手段である第２導光部材４０Ｂを通じて第２発光部３０Ｂに出射して第２発光部３０Ｂを発光させる。このため、第１発光部３０Ａは第１導光部材４０Ａの出射特性で発光し、第２発光部３０Ｂは第２導光部材４０Ｂの出射特性で発光するので、両発光部３０Ａ、３０Ｂは個別に視認することができる。【選択図】  図１
2005303660.tif 000002
【特許請求の範囲】
【請求項１】
本体に収容された光源と、前記本体に設けられて外部から発光を個別に視認可能な第１発光部および第２発光部と、前記光源からの光を前記第１発光部および前記第２発光部に導光する導光手段とを備え、
前記導光手段が、前記光源からの光を受光して前記第１発光部に光を出射する第１導光部材と、前記第１導光部材が出射する光を受光して前記第２発光部に光を出射する第２導光部材とを有している携帯端末。
【請求項２】
前記第１導光部材における光の出射特性および前記第２導光部材における光の出射特性が互いに異なる請求項１に記載の携帯端末。
【請求項３】
前記第１導光部材および前記第２導光部材が互いに異なる色相を有している請求項２に記載の携帯端末。
【請求項４】
前記第１導光部材および前記第２導光部材が互いに異なる表面粗さを有している請求項２に記載の携帯端末。
【請求項５】
前記第１導光部材および前記第２導光部材のうちの少なくとも一方が粒子を含有している請求項２に記載の携帯端末。
【請求項６】
前記第１導光部材および前記第２導光部材が互いに異なる材質により形成されている請求項２に記載の携帯端末。
【請求項７】
前記第１発光部および前記第２発光部が前記本体において互いに異なる方向を向くように配置されている請求項２に記載の携帯端末。
【請求項８】
前記本体における音声を発する表側に前記第２発光部が設けられているとともに、前記第１導光部材よりも前記第２導光部材の透光性が高い請求項７に記載の携帯端末。
【請求項９】
前記第２導光部材がレシーバを囲む略環状の支持部材に一体成型されているとともに、前記第２導光部材と前記支持部材との間に溝が設けられている請求項８に記載の携帯端末。
【発明の詳細な説明】
【技術分野】
【０００１】
本発明は、着信の合図や電池の消耗等の種々の情報を、光の点灯や点滅でユーザに知らせることができる携帯端末に関するものである。
【背景技術】
【０００２】
従来の携帯端末では、小型軽量で薄型であることが要求されるために、限られたスペースに配置できる例えば赤と緑のＬＥＤを、折り畳まれた状態でも視認できる位置に設け、赤と緑のＬＥＤの点灯と点滅の組み合わせで、着信の合図や電池の消耗等の種々の情報をユーザに知らせるために発光したり点滅したりしている（例えば特許文献１参照）。
ところで、前述した特許文献に開示されている携帯端末では、光の３原色を発光する赤色光と緑色光と青色光の発光素子からなる発光手段を設け、発光手段からの入射光を導光部材（光学手段）に入射して適宜組み合わせ、所望の色の光として少なくとも２方向へ出射するようにしている。
【特許文献１】特開２００２−１９８５６７号公報
【発明の開示】
【発明が解決しようとする課題】
【０００３】
しかしながら、前述した携帯端末においては、発光素子からの光を受けて所望の方向に透過光を導く導光部材が一つの部材であるため、２方向以上に出射される光の色、拡散、集光、光度、輝度等の発光特性は同じものであり、表示部において変えることができないという問題があった。また、離れている表示部がある場合や、離れた方向に表示部が向いている場合には、導光部材が大きくなるため、組み立て性が悪くなったり、他の部品が邪魔になったりするという問題があった。
【０００４】
本発明は、従来の問題を解決するためになされたものであり、コンパクトな構成で発光特性が異なる光を２箇所に発することにより、種々の情報を表示する自由度を向上させることのできる携帯端末を提供することを目的とする。
【課題を解決するための手段】
【０００５】
本発明の携帯端末は、本体に収容された光源と、前記本体に設けられて外部から発光を個別に視認可能な第１発光部および第２発光部と、前記光源からの光を前記第１発光部および前記第２発光部に導光する導光手段とを備え、前記導光手段が、前記光源からの光を受光して前記第１発光部に光を出射する第１導光部材と、前記第１導光部材が出射する光を受光して前記第２発光部に光を出射する第２導光部材とを有した構成を有している。
【０００６】
この構成により、光源から発せられた光は個別に、導光手段である第１導光部材を通じて第１発光部に出射して第１発光部を発光させるとともに、導光手段である第２導光部材を通じて第２発光部に出射して第２発光部を発光させる。このため、第１発光部は第１導光部材の出射特性で発光し、第２発光部は第２導光部材の出射特性で発光するので、特性が異なる光を２箇所に発することにより、種々の情報を表示する自由度を向上させることのできる。
【０００７】
また、本発明にかかる携帯端末は、前記第１導光部材における光の出射特性および前記第２導光部材における光の出射特性が互いに異なる構成を有している。
【０００８】
この構成により、第１導光部材の出射特性と第２導光部材の出射特性を異なるものとすることにより、第１発光部から発せられる光と第２発光部から発せられる光を異なる特性のものとすることができるので、両発光部を個別に視認することができる。
【０００９】
さらに、本発明にかかる携帯端末は、前記第１導光部材および前記第２導光部材が互いに異なる色相を有した構成を有している。
【００１０】
この構成により、第１導光部材の色相と第２導光部材の色相が異なるので、光源からの光を受けて、第１導光部材により光を出射される第１発光部と、第２導光部材により光を出射される第２発光部は異なる色相、例えば異なる色や、同じ光で異なる濃度の光等を発することになる。
【００１１】
さらに、本発明にかかる携帯端末は、前記第１導光部材および前記第２導光部材が互いに異なる表面粗さを有した構成を有している。
【００１２】
この構成により、第１導光部材の表面粗さと第２導光部材の表面粗さが、例えばシボ加工により異なるように加工されているので、光源からの光を受けて、第１導光部材により光を出射される第１発光部と、第２導光部材により光を出射される第２発光部は、異なる感じ、例えば異なる柔らかさの光を発することになる。
【００１３】
さらに、本発明にかかる携帯端末は、前記第１導光部材および前記第２導光部材のうちの少なくとも一方が粒子を含有した構成を有している。
【００１４】
この構成により、第１導光部材と第２導光部材の少なくとも一方が粒子を含有しているので、粒子が第１導光部材または第２導光部材を透過してくる光に干渉する。このため、光源からの光を受けて、第１導光部材により光を出射される第１発光部と、第２導光部材により光を出射される第２発光部は、異なる感じの光を発することになる。
【００１５】
さらに、本発明にかかる携帯端末は、前記第１導光部材および前記第２導光部材が互いに異なる材質により形成した構成を有している。
【００１６】
この構成により、第１導光部材の材質と第２導光部材の材質が異なるので、光源からの光を受けて、第１導光部材により光を出射される第１発光部と、第２導光部材により光を出射される第２発光部は、異なる感じ、例えば異なる色や異なる柔らかさ等の光を発することになる。
【００１７】
さらに、本発明にかかる携帯端末は、前記第１発光部および前記第２発光部が前記本体において互いに異なる方向を向くように配置した構成を有している。
【００１８】
この構成により、第１発光部および第２発光部が光源からの光を受けて、異なる方向へ光を発することとなり、種々の情報を表示する自由度を向上させることができる。
【００１９】
さらに、本発明にかかる携帯端末は、前記本体における音声を発する表側に前記第２発光部が設けられているとともに、前記第１導光部材よりも前記第２導光部材の透光性が高い構成を有している。
【００２０】
この構成により、音声を発する表側にある第２発光部は、第１発光部よりもはっきりと発光する。例えば、第１発光部は拡散してぼんやりと発光し、第２発光部は集光したスポット発光とすることができる。
【００２１】
さらに、本発明にかかる携帯端末は、前記第２導光部材がレシーバを囲む略環状の支持部材に一体成型されているとともに、前記第２導光部材と前記支持部材との間に溝が設けられている構成を有している。
【００２２】
この構成により、第２導光部材はレシーバを囲む略環状の支持部材に一体成型されているので、レシーバの近傍に第２導光部材をコンパクトに設けることができる。また、第２導光部材と支持部材との間に溝を設けることにより、第２導光部材を透過する光線が支持部材の方に流れて弱まるのを防止することができる。
【発明の効果】
【００２３】
本発明は、光源から発せられた光を第１発光部に出射して第１発光部を発光させるための導光手段である第１導光部材と、第２導光部材を通じて第２発光部に出射して第２発光部を発光させるための導光手段である第２導光部材とを別個に設けることにより、第１発光部と第２発光部を異なる発光特性で発光させることができ、種々の情報を表示する自由度を向上させることのできるるという効果を有する携帯端末を提供することができるものである。
【発明を実施するための最良の形態】
【００２４】
以下、本発明の実施の形態の携帯端末について、図面を用いて説明する。
図１および図２には、本発明の第１の実施の形態に係る携帯端末の本体側を示してある。
図１において、本発明の携帯端末１０Ａは、本体１１に収容された光源としてのＬＥＤ２１と、本体１１に設けられて外部から発光を個別に視認可能な第１発光部３０Ａおよび第２発光部３０Ｂと、ＬＥＤ２１からの光を第１発光部３０Ａおよび第２発光部３０Ｂに導光する導光手段４０とを備えている。導光手段４０は、ＬＥＤ２１からの光を受光して第１発光部３０Ａに光を出射する第１導光部材４０Ａと、第１導光部材４０Ａが出射する光を受光して第２発光部３０Ｂに光を出射する第２導光部材４０Ｂとを有している。
【００２５】
図１および図２に示すように、本体１１は、中央に基板１２を有し、この基板１２を両面から挟むようにしてケース１３とカバー１４を有している。ケース１３およびカバー１４の一端には、ヒンジ部１３ａ、１４ａが設けられており、ケース１３とカバー１４を結合すると、図示省略の下部筐体と相互に回動可能に連結するヒンジ１６を形成するようになっている。また、ケース１３の外側にはパネル１５を有している。
【００２６】
基板１２の中央部下面には、種々の情報を表示するためのメインディスプレイ１７ａが設けられており、このメインディスプレイ１７ａに対向してカバー１４の中央部には透明な窓１４ｂが設けられている。従って、カバー１４を通してメインディスプレイ１７ａの表示を視認することができるようになっている。
一方、基板１２の中央部上面には、サブディスプレイ１７ｂが設けられており、このサブディスプレイ１７ｂに対向してケース１３の中央部に窓１３ｂが設けられ、パネル１５の中央部にも透明な窓１５ａが設けられている。従って、ケース１３およびパネル１５を通して、サブディスプレイ１７ｂの表示を視認することができるようになっている。なお、パネル１５には、内蔵されているカメラのためのカメラ用孔１５ｂが設けられている。
【００２７】
図３に示すように、基板１２には、ＬＥＤ２１が設けられている。ＬＥＤ２１の出射方向には、導光手段としての第１導光部材４０Ａが設けられている。図４および図５に示すように、この第１導光部材４０ＡのＬＥＤ２１側端部には、ＬＥＤ２１からの入射光ＢＭ１を受ける略半円形状の切欠き４１を有しており、透過光を幅方向に拡散するようになっている。一方、第１導光部材４０ＡのＬＥＤ２１とは反対側端部には、傾斜面４２が設けられており、透過光は傾斜面４２に当たって上方に向きを変えるようになっている。傾斜面４２に当たって上方に向きを変えた透過光ＢＭ２により発光する第１発光部３０Ａである第１導光部材４０Ａの上面は、ケース１３に設けられている切欠き１３ｃから露出している。なお、第１発光部３０Ａである第１導光部材４０Ａの上面を覆っているパネル１５は透明または半透明になっている。
【００２８】
従って、透過光ＢＭ２により発光する第１発光部３０Ａは、パネル１５を通して外部から視認することができるようになっている。なお、第１発光部３０Ａである第１導光部材４０Ａの上面を、シボ加工により粗くして、透過光を軟らかくするようにしてもよい。
【００２９】
図３に示すように、基板１２にはレシーバホルダ２３が取付けられており、このレシーバホルダ２３を介して直方体状のレシーバ２２が取り付けられている。レシーバ２２の横には、第２導光部材４０Ｂが設けられている。
図６および図７に示すように、第２導光部材４０Ｂはレシーバ２２を囲む略環状の支持部材４５と一体的に設けられており、第２導光部材４０Ｂと支持部材４５との間には溝４６が設けられている。第２導光部材４０Ｂは全体柱状をしており、先端には傾斜面４３が設けられている。この第２導光部材４０Ｂの先端部分は、基板１２に設けられている切欠き１２ａから上方に突出しており、さらに第１導光部材４０Ａの下面に設けられている凹部４４に収容されている。
【００３０】
第２導光部材４０Ｂは、第１導光部材４０Ａと異なる材質により形成したり、同じ材質でも例えば色相、光度、輝度、拡散またはストレート等の出射特性を変えることにより、使用者に与える印象を第１導光部材４０Ａと異なるものとすることができる。例えば出射特性の一つである色相を異なるようにすることができる。すなわち、透過光の色を変えたり、あるいは同色で濃度を変えることもできる。
また、第１導光部材４０Ａと第２導光部材４０Ｂの表面粗さを異なるものとすることにより、使用者に与える印象を異なるものとすることができる。
また、第１導光部材４０Ａと第２導光部材４０Ｂの一方に透過光に干渉する粒子を含有させたり、あるいは両導光部材４０Ａ、４０Ｂに異なった粒子を含有させることにより、使用者に与える印象を異なるものとすることができる。
さらに、第１導光部材４０Ａの導光方向と、第２導光部材４０Ｂの導光方向とを異なる方向とすることができる。例えば、一方を上方、他方を下方としたり、一方を左方向、他方を右方向とすることができる。
【００３１】
従って、第２導光部材４０Ｂの先端部は、基板１２の上面に取付けられているＬＥＤ２１から発せられ、第１導光部材４０Ａを通って凹部４４に貫通した光ＢＭ３を受けることができるようになっている。第２導光部材４０Ｂに入射した光ＢＭ３は、傾斜面４３に当たり、下方へ方向を変えて（ＢＭ４）、本体１１において音声を発する側に設けられている第２発光部３０Ｂである第２導光部材４０Ｂの先端面を第２発光部３０Ｂとして発光させる。例えば、第２導光部材４０Ｂの透光性を第１導光部材４０Ａの透光性よりも高めることにより、第２発光部３０Ｂを集光したスポット発光とし、第１発光部３０Ａをぼんやりした拡散光とすることができる。
なお、第２導光部材４０Ｂと支持部材４５との間には溝４６が設けられているので、第２導光部４０Ｂを透過している透過光は溝４６を超えて拡散することはなく、弱まるのを防止している。
【００３２】
このような本発明の第１の実施の形態の携帯端末１０Ａによれば、ＬＥＤ２１からの光を一方（例えば上方）に導光する第１導光部材４０Ａと、この第１導光部材４０Ａの導光方向と異なる他方（例えば下方）に導光する第２導光部材４０Ｂを設けたので、ＬＥＤ２１の光を異なる方向へ導光して発光させることができる。このとき、第１導光部材４０Ａと第２導光部材４０Ｂとを特性が異なるものとすることにより、第１発光部３０Ａと第２発光部３０Ｂとを、異なった色や輝度や明るさ等とすることができ、視認性を高めることができる。
【００３３】
次に、本発明の第２の実施の形態の携帯端末１０Ｂを図８に示す。なお、前述した第１の実施の形態にかかる携帯端末１０Ａと共通する部位には同じ符号を付して、重複する説明を省略することとする。
この携帯端末１０Ｂにおける第２導光部材４７には、２つの傾斜面４７ａ、４７ｂが設けられている。このため、第２導光部材４７に入射したＬＥＤ２１からの光ＢＭ３は、まず傾斜面４７ａによって下方へ方向変化され（ＢＭ５）、さらに傾斜面４７ｂにより方向変換されて（ＢＭ６）、図８中左側へ導光され、第２発光部３０Ｂを発光させるものである。
これにより、第１発光部３０Ａと第２発光部３０Ｂとは、異なる方向に発光することになる。
【００３４】
次に、本発明の第３の実施の形態の携帯端末１０Ｃを図９に示す。なお、前述した第１の実施の形態あるいは第２の実施の形態にかかる携帯端末１０Ａ、１０Ｂと共通する部位には同じ符号を付して、重複する説明を省略することとする。
この携帯端末１０Ｃにおける第２導光部材４８には、３つの傾斜面４８ａ、４８ｂ、４８ｃが設けられている。このため、第２導光部材４８に入射したＬＥＤ２１からの光ＢＭ３は、まず傾斜面４８ａによって上方へ方向変化され（ＢＭ７）、次いで傾斜面４８ｂにより図８中右方向へ方向変換され（ＢＭ８）、さらに傾斜面４８ｃにより上方へ方向変換されて（ＢＭ９）、第２発光部３０Ｂを発光させるものである。なお、第２導光部材４８は、前述した第２導光部材４０Ｂ、４７と異なり、支持部材４５とは別個に設ける。
これにより、第１発光部３０Ａと第２発光部３０Ｂとは、同じ面の異なる位置で発光することになる。
【００３５】
なお、本発明の携帯端末１０Ａ、１０Ｂ、１０Ｃは、前述した各実施形態に限定されるものでなく、適宜な変形，改良等が可能である。
【産業上の利用可能性】
【００３６】
以上のように、本発明に係る携帯端末は、光源から発せられた光を第１発光部に出射して第１発光部を発光させるための導光手段である第１導光部材と、第２導光部材を通じて第２発光部に出射して第２発光部を発光させるための導光手段である第２導光部材とを別個に設けることにより、第１発光部と第２発光部を異なる発光特性で発光させることができるという効果を有し、着信の合図や電池の消耗等の種々の情報を、光の点灯や点滅でユーザに知らせることができる携帯端末として有用である。
【図面の簡単な説明】
【００３７】
【図１】本発明の第１の実施の形態における携帯端末を上方から見た分解斜視図である。
【図２】本発明の第１の実施の形態における携帯端末を下方から見た分解斜視図である。
【図３】図１中III位置における第１の実施の形態の要部断面図である。
【図４】第１導光部材の斜視図である。
【図５】第１導光部材の取付状態を示す斜視図である。
【図６】図１中VI位置における第１の実施の形態の要部断面図である。
【図７】第２導光部材の取付状態を示す斜視図である。
【図８】第２の実施の形態の図６相当の要部断面図である。
【図９】第３の実施の形態の図６相当の要部断面図である。
【符号の説明】
【００３８】
１０Ａ、１０Ｂ、１０Ｃ  携帯端末
１１  本体
２１  ＬＥＤ（光源）
２２  レシーバ
３０Ａ  第１発光部
３０Ｂ  第２発光部
４０Ａ  第１導光部材（導光手段）
４０Ｂ、４７、４８  第２導光部材（導光手段）
４５  支持部材
４６  溝
【図１】
2005303660.tif 000003
【図２】
2005303660.tif 000004
【図３】
2005303660.tif 000005
【図４】
2005303660.tif 000006
【図５】
2005303660.tif 000007
【図６】
2005303660.tif 000008
【図７】
2005303660.tif 000009
【図８】
2005303660.tif 000010
【図９】
2005303660.tif 000011